(57)【特許請求の範囲】
【請求項１】
制御装置を備えた給湯機と、
表示部を備え、前記制御装置に対して有線通信または無線通信可能に接続される端末装置と、
前記制御装置に対して有線通信または無線通信可能に接続され、外部機器と前記制御装置との間の通信を中継する通信アダプタと、
を備え、
前記通信アダプタに関する情報であるアダプタ情報を前記端末装置の前記表示部に表示可能であり、
前記制御装置が前記通信アダプタとの通信を行ったことの履歴を有するか否かを確認し、前記制御装置が前記通信アダプタと通信した履歴を有する場合には前記アダプタ情報を前記表示部に表示し、前記制御装置が前記通信アダプタと通信した履歴を持たない場合には前記アダプタ情報を非表示にし、
前記端末装置は、前記通信アダプタの動作をリセットするユーザー操作を可能にする手段を備え、
前記給湯機は、住居の外に設置され、
前記端末装置は、浴室または台所に設置され、
前記通信アダプタは、室内に設置され、
前記ユーザー操作がなされると、前記通信アダプタの動作をリセットする指令を前記端末装置が前記給湯機の前記制御装置に送信し、当該指令を前記給湯機の前記制御装置が前記通信アダプタに送信し、当該指令を受信した前記通信アダプタがリセットを行う給湯システム。
【請求項２】
前記アダプタ情報は、前記通信アダプタの動作状態が正常か異常かに関する情報を含む請求項１に記載の給湯システム。
【請求項３】
前記アダプタ情報は、前記外部機器と前記通信アダプタとの間の通信状態が正常か異常かに関する情報を含む請求項１または請求項２に記載の給湯システム。
【請求項４】
前記アダプタ情報は、前記制御装置に対して接続されている前記通信アダプタの種別に関する情報を含む請求項１から請求項３のいずれか一項に記載の給湯システム。
【請求項５】
前記通信アダプタの動作状態が正常、かつ、前記外部機器と前記通信アダプタとの間の通信状態が異常の場合に、前記外部機器と前記通信アダプタとの間の通信状態が異常であることを示す情報を前記端末装置の前記表示部に表示する請求項１から請求項４のいずれか一項に記載の給湯システム。
【請求項６】
前記通信アダプタを介して前記外部機器と正常に通信できない場合に、前記制御装置は、前記外部機器から受信した指令による前記給湯機の動作を禁止する請求項１から請求項５のいずれか一項に記載の給湯システム。
【発明の詳細な説明】
【技術分野】
【０００１】
本発明は、給湯システムに関する。
【背景技術】
【０００２】
下記特許文献１に開示された従来の給湯システムは、以下のように構成される。給湯機本体（３５）を制御する制御装置（３６）に接続されたリモコン（４４）は、通信制御装置（５１）に有線または無線で接続される。通信制御装置（５１）は、ホームゲートウェイにより構成されている。リモコン（４４）の表示部（４４ｄ）は、通信制御装置（５１）との通信状態などを表示する。
【０００３】
上記のように特許文献１のシステムでは、給湯機本体（３５）の制御装置（３６）に接続されたリモコン（４４）に対して、通信制御装置（５１）が接続されている。これに対し、給湯機の制御装置と、例えばホームエネルギーマネジメントシステム（ＨＥＭＳ）のコントローラのような外部機器とが、通信可能に接続される場合がある。その場合、給湯機の制御装置と外部機器とは、通信アダプタを介して通信を行う。
【先行技術文献】
【特許文献】
【０００４】
【特許文献１】特開２０１５−１３１１号公報
【発明の概要】
【発明が解決しようとする課題】
【０００５】
ＨＥＭＳコントローラ及び通信アダプタは、室内に設置される。通信アダプタには、通信アダプタへの通電状態、あるいは故障の有無などを表すためのＬＥＤランプが搭載されていることが多い。通信アダプタのＬＥＤランプの状態を確認できるようにするため、ユーザーが容易に見ることのできる位置に通信アダプタを設置する必要がある。
【０００６】
本発明は、上述のような課題を解決するためになされたもので、給湯機の制御装置と、外部機器との間の通信を中継する通信アダプタを設置する位置の自由度を向上できる給湯システムを提供することを目的とする。
【課題を解決するための手段】
【０００７】
本発明に係る給湯システムは、制御装置を備えた給湯機と、表示部を備え、制御装置に対して有線通信または無線通信可能に接続される端末装置と、制御装置に対して有線通信または無線通信可能に接続され、外部機器と制御装置との間の通信を中継する通信アダプタと、を備え、通信アダプタに関する情報であるアダプタ情報を端末装置の表示部に表示可能であり、制御装置が通信アダプタとの通信を行ったことの履歴を有するか否かを確認し、制御装置が通信アダプタと通信した履歴を有する場合にはアダプタ情報を表示部に表示し、制御装置が通信アダプタと通信した履歴を持たない場合にはアダプタ情報を非表示にし、端末装置は、通信アダプタの動作をリセットするユーザー操作を可能にする手段を備え、給湯機は、住居の外に設置され、端末装置は、浴室または台所に設置され、通信アダプタは、室内に設置され、ユーザー操作がなされると、通信アダプタの動作をリセットする指令を端末装置が給湯機の制御装置に送信し、当該指令を給湯機の制御装置が通信アダプタに送信し、当該指令を受信した通信アダプタがリセットを行うものである。
【発明の効果】
【０００８】
本発明の給湯システムによれば、給湯機の制御装置と、外部機器との間の通信を中継する通信アダプタを設置する位置の自由度を向上することが可能となる。
【図面の簡単な説明】
【０００９】
【図１】実施の形態１の給湯システムを示す図である。
【図２】実施の形態１の給湯システムがアダプタ情報をリモコンの表示部に表示させるときの制御動作を示すフローチャートである。
【発明を実施するための形態】
【００１０】
以下、図面を参照して実施の形態について説明する。各図において共通する要素には、同一の符号を付して、重複する説明を簡略化または省略する。
【００１１】
実施の形態１．
図１は、実施の形態１の給湯システムを示す図である。図１に示すように、実施の形態１の給湯システム１は、貯湯式給湯機３５、リモコン４４、及び通信アダプタ４６を備える。貯湯式給湯機３５は、制御装置３６を備える。貯湯式給湯機３５の全体または一部は、住居の屋外に設置されてもよい。
【００１２】
リモコン４４は、貯湯式給湯機３５の制御装置３６に対し、双方向にデータ通信可能に接続される。リモコン４４は、端末装置の例である。制御装置３６とリモコン４４との間は、有線通信でも無線通信でもよい。リモコン４４は、浴室に設置されてもよい。リモコン４４は、台所に設置されてもよい。給湯システム１は、異なる場所に設置された複数のリモコン４４を備えてもよい。
【００１３】
通信アダプタ４６は、貯湯式給湯機３５の制御装置３６に対し、双方向にデータ通信可能に接続される。制御装置３６と通信アダプタ４６との間は、有線通信でも無線通信でもよい。通信アダプタ４６は、ＨＥＭＳコントローラ４７と通信する機能を有する。ＨＥＭＳコントローラ４７は、貯湯式給湯機３５の外部にある外部機器の例である。通信アダプタ４６は、ＨＥＭＳコントローラ４７と、貯湯式給湯機３５の制御装置３６との間の通信を中継する。通信アダプタ４６及びＨＥＭＳコントローラ４７は、住居の屋内に設置されてもよい。
【００１４】
貯湯式給湯機３５は、タンクユニット３３と、ヒートポンプサイクルを利用するＨＰユニット７とを備えている。ＨＰユニット７とタンクユニット３３との間は、ＨＰ往き管１４とＨＰ戻り管１５と図示しない電気配線とを介して接続されている。図示の例では、制御装置３６は、タンクユニット３３内に設置されている。タンクユニット３３及びＨＰユニット７が備える弁類、ポンプ類のような各種のアクチュエータの作動は、これらと電気的に接続された制御装置３６により制御される。
【００１５】
リモコン４４は、表示部４４ａ及び操作部４４ｂを備える。表示部４４ａは、例えば、液晶ディスプレイまたは有機ＥＬディスプレイでもよい。表示部４４ａは、例えば、貯湯式給湯機３５の状態に関する情報、貯湯式給湯機３５の設定内容に関する情報などを表示できる。操作部４４ｂは、ユーザーが操作するためのボタン、ダイヤル、キーなどを含んでもよい。表示部４４ａは、操作部の機能を兼ね備えるタッチスクリーンでもよい。リモコン４４は、スピーカ、マイク等をさらに備えてもよい。
【００１６】
ＨＥＭＳコントローラ４７は、住居にある電気機器を管理するホームエネルギーマネジメントシステムのコントローラである。貯湯式給湯機３５以外の電気機器が、ＨＥＭＳコントローラ４７に対して、無線または有線で通信可能に接続されてもよい。例えば、ルームエアコン４８がＨＥＭＳコントローラ４７に対して接続されてもよいし、その他の電気機器４９がＨＥＭＳコントローラ４７に対して接続されてもよい。その他の電気機器４９は、例えば、照明器具、浴室乾燥機、浴室換気扇、台所換気扇、ＩＨ（Ｉｎｄｕｃｔｉｏｎ  Ｈｅａｔｉｎｇ）調理器、電子レンジ、食器洗い機、テレビなどを含んでもよい。ＨＥＭＳコントローラ４７と、パーソナルコンピュータまたはタブレットのような操作表示端末（図示省略）との間で、情報をやり取り可能になっていてもよい。ＨＥＭＳコントローラ４７は、自動で、または操作表示端末等から受信するユーザー指示に応じて、各々の電気機器を制御できる。ＨＥＭＳコントローラ４７と、各々の電気機器とは、宅内のネットワークを介して通信可能でもよい。
【００１７】
ＨＰユニット７は、タンクユニット３３が備える貯湯タンク８から導かれた低温水を加熱する加熱手段の例である。ＨＰユニット７は、圧縮機２、水冷媒熱交換器３、膨張弁４、空気熱交換器６を冷媒管５にて環状に接続し、ヒートポンプサイクルを構成している。水冷媒熱交換器３は、冷媒管５を流れる冷媒とタンクユニット３３から導かれた低温水との間で熱交換を行うためのものである。
【００１８】
タンクユニット３３には、以下の各種部品及び配管などが内蔵されている。貯湯タンク８は、湯水を貯留するためのものである。温度による水の密度の違いにより、貯湯タンク８内には、上側が高温で下側が低温の温度成層を形成できる。貯湯タンク８の下部に設けられた水導入口８ａには、第３給水管９ｃが接続されている。水道等の水源から供給される水は、減圧弁３１で所定圧力に調圧された上で、第３給水管９ｃを通って貯湯タンク８内に流入する。貯湯タンク８の上部に設けられた温水導入出口８ｄには、貯湯タンク８内に貯留された湯を貯湯式給湯機３５の外部へ供給するための給湯管２１と、送湯管１３とが接続されている。貯湯タンク８に高温湯を蓄積する蓄熱運転のときには、ＨＰユニット７を用いて加熱された高温湯が温水導入出口８ｄから流入するとともに、第３給水管９ｃからの低温水が水導入口８ａから流入する。これにより、貯湯タンク８内で上から下に向かって徐々に高温湯が蓄積されていく。貯湯タンク８の表面には、複数の貯湯温度センサ４２，４３が高さを変えて取り付けられている。制御装置３６は、これら貯湯温度センサ４２，４３で貯湯タンク８内の湯水の温度分布を検出することにより、貯湯タンク８内の残湯量または蓄熱量を検知できる。制御装置３６は、検知された貯湯タンク８内の残湯量または蓄熱量に応じて、蓄熱運転の開始及び停止などを制御してもよい。
【００１９】
タンクユニット３３内には、循環ポンプ１２及びふろ用熱交換器２０が内蔵されている。循環ポンプ１２は、タンクユニット３３内の後述する各種の配管に湯水を循環させるためのポンプであり、ＨＰ往き管１４上に設けられている。ふろ用熱交換器２０は、貯湯タンク８またはＨＰユニット７から供給される高温湯を利用して、２次側の加熱対象水（浴槽水または暖房用水など）を加熱するための熱交換器である。本実施の形態では、ふろ用熱交換器２０の２次側の構成として、浴槽３０内の湯水を循環させるふろ往き管２７とふろ戻り管２８を例示し説明する。ふろ用熱交換器２０は、ふろ往き管２７とふろ戻り管２８の途中に設置されている。また、ふろ往き管２７とふろ戻り管２８の途中には、浴槽水を循環させるためのふろ循環ポンプ２９と、浴槽３０から出た浴槽水の温度を検出するためのふろ戻り温度センサ３８と、ふろ用熱交換器２０から出た熱交換後の湯の温度を検出するためのふろ往き温度センサ３７とが設置されている。
【００２０】
三方弁１１は、湯水が流入するａポート及びｂポートと、湯水が流出するｃポートとを有する流路切替手段である。四方弁１８は、湯水が流入するｂポート及びｃポートと、湯水が流出するａポート及びｄポートとを有する流路切替手段であり、４つの経路、ａ−ｂ、ａ−ｃ、ｂ−ｄ、ｃ−ｄの間で流路切替可能に構成されている。また、タンクユニット３３は、水導出口管１０、温水導入管２０ａ、第１バイパス管１６、温水導出管２０ｂ、及び第２バイパス管１７を有している。水導出口管１０は、貯湯タンク８の下部に設けられた水導出口８ｂと三方弁１１のａポートとを接続する。ＨＰ往き管１４は、三方弁１１のｃポートとＨＰユニット７の入口側とを接続する。ＨＰ戻り管１５は、ＨＰユニット７の出口側と四方弁１８のｃポートとを接続する。送湯管１３は、四方弁１８のｄポートと、貯湯タンク８上部の温水導入出口８ｄとを接続する。第１バイパス管１６は、四方弁１８のａポートと、貯湯タンク８の中央部から下部の間に設けられた温水導入口８ｃとを接続する。温水導入管２０ａは、送湯管１３の途中から分岐し、ふろ用熱交換器２０の１次側入口に接続される。温水導出管２０ｂは、ふろ用熱交換器２０の１次側出口と三方弁１１のｂポートとを接続する。第２バイパス管１７は、ＨＰ往き管１４における循環ポンプ１２とＨＰユニット７の入口側との間から分岐し、四方弁１８のｂポートに接続される。
【００２１】
更に、タンクユニット３３は、第１給水管９ａ、第２給水管９ｂ、給湯用混合弁２２、ふろ用混合弁２３、第１給湯管２４、及び第２給湯管２５を有している。第１給水管９ａの一端は水道等の水源に接続され、第１給水管９ａの他端には減圧弁３１を介して第２給水管９ｂ及び第３給水管９ｃが接続されている。第２給水管９ｂは、途中から分岐してそれぞれ給湯用混合弁２２とふろ用混合弁２３とに接続されている。また、給湯管２１は、途中から分岐してそれぞれ給湯用混合弁２２及びふろ用混合弁２３に接続されている。第２給湯管２５の途中には、第２給湯管２５を開閉するふろ用電磁弁２６と、第２給湯管２５を通る湯の流量を検出するふろ用流量センサ４５とが設けられている。
【００２２】
給湯用混合弁２２及びふろ用混合弁２３は、給湯管２１から供給される高温湯と、第２給水管９ｂから供給される低温水との流量比を調整することにより、ユーザーがリモコン４４にて設定した設定温度の湯を生成し、第１給湯管２４及び第２給湯管２５にそれぞれ流入させる。給湯用混合弁２２で温度調整された湯は、第１給湯管２４から給湯栓３４を経由して、ユーザーが使用するシャワー及びカラン等の蛇口（図示しない）に供給される。一方、ふろ用混合弁２３で設定温度に調整された湯は、第２給湯管２５からふろ用電磁弁２６、ふろ用流量センサ４５、ふろ往き管２７、ふろ戻り管２８を経て浴槽３０に供給される。
【００２３】
三方弁１１は、水導出口管１０とＨＰ往き管１４とが連通する形態と、温水導出管２０ｂとＨＰ往き管１４とが連通する形態、の２つの流路形態で、タンクユニット３３内の湯水の流路を切り替えて使用する。四方弁１８は、ＨＰ戻り管１５と送湯管１３とが連通する形態、ＨＰ戻り管１５と第１バイパス管１６とが連通する形態、第１バイパス管１６と第２バイパス管１７とが連通する形態、送湯管１３と第２バイパス管１７とが連通する形態、の４つの流路形態で、タンクユニット３３内の湯水の流路を切り替えて使用する。
【００２４】
本実施の形態の給湯システム１では、アダプタ情報をリモコン４４の表示部４４ａに表示可能である。アダプタ情報は、通信アダプタ４６に関する情報である。貯湯式給湯機３５の制御装置３６は、通信アダプタ４６から受信したデータに基づいて、リモコン４４の表示部４４ａにアダプタ情報を表示させてもよい。貯湯式給湯機３５の制御装置３６は、通信アダプタ４６から受信したデータをリモコン４４が備える制御装置（図示省略）へ送信してもよい。リモコン４４が備える制御装置は、貯湯式給湯機３５の制御装置３６から受信したデータに基づいて、表示部４４ａにアダプタ情報を表示させてもよい。表示部４４ａは、例えば、文字、図形、キャラクタのうちの少なくとも一つによって、アダプタ情報を表示してもよい。
【００２５】
図２は、実施の形態１の給湯システム１がアダプタ情報をリモコン４４の表示部４４ａに表示させるときの制御動作を示すフローチャートである。図２のフローチャートの中の各々の判断処理は、貯湯式給湯機３５の制御装置３６が行ってもよいし、リモコン４４が備える制御装置が行ってもよい。
【００２６】
図２のステップＳ１では、貯湯式給湯機３５の制御装置３６が通信アダプタ４６との通信を行ったことの履歴を有するか否かを確認する。貯湯式給湯機３５は、ＨＥＭＳコントローラ４７のような外部機器に接続されずに使用されるものもある。外部機器にされずに使用される貯湯式給湯機３５の制御装置３６に対しては、通信アダプタ４６が接続されない。通信アダプタ４６が接続されない貯湯式給湯機３５を備えた給湯システム１においては、アダプタ情報を表示する必要性がない。ステップＳ１で、貯湯式給湯機３５の制御装置３６が通信アダプタ４６と通信した履歴を持たない場合には、ステップＳ１０へ移行する。例えば、貯湯式給湯機３５を製造する工場から貯湯式給湯機３５が出荷された後に制御装置３６が通信アダプタ４６との通信を行ったことの履歴が制御装置３６のメモリに残っていない場合に、ステップＳ１からステップＳ１０へ移行してもよい。
【００２７】
ステップＳ１０では、リモコン４４の表示部４４ａにアダプタ情報を表示しない。すなわち、アダプタ情報を非表示にする。貯湯式給湯機３５の制御装置３６が通信アダプタ４６と通信した履歴を持たない場合には、貯湯式給湯機３５は、ＨＥＭＳコントローラ４７のような外部機器に接続されずに使用されるものであり、通信アダプタ４６は設置されないと考えられる。このような場合には、アダプタ情報の表示は不要である。このような場合に、不要なアダプタ情報を非表示にすることで、無用な情報をユーザーに提示することを防止できる。
【００２８】
ステップＳ１で、貯湯式給湯機３５の制御装置３６が通信アダプタ４６と通信した履歴を有する場合には、ステップＳ２へ移行する。ステップＳ２では、貯湯式給湯機３５の制御装置３６は、通信アダプタ４６から、通信アダプタ４６の種別に関する情報を受信する。制御装置３６には、複数種類の通信アダプタ４６から一つを選択して接続可能である。複数種類の通信アダプタ４６には、例えば、無線ＬＡＮ（ローカルエリアネットワーク）用の通信アダプタ４６と、有線ＬＡＮ用の通信アダプタ４６とが含まれてもよい。ステップＳ２では、以下のようにしてもよい。通信アダプタ４６は、自身の種別に関する情報を貯湯式給湯機３５の制御装置３６へ送信する。貯湯式給湯機３５の制御装置３６は、通信アダプタ４６の種別に関する情報をリモコン４４へ送信する。リモコン４４の表示部４４ａは、アダプタ情報として、通信アダプタ４６の種別に関する情報を表示する。通信アダプタ４６の種別に関する情報がリモコン４４の表示部４４ａに表示されることで、以下の効果が得られる。通信アダプタ４６の種別に応じて、通信アダプタ４６の状態の内容が異なる場合がある。また、通信アダプタ４６が故障したときに、通信アダプタ４６を交換する場合がある。それらの場合に、ユーザー等が通信アダプタ４６の種別を容易に知ることができ、通信アダプタ４６の種別を勘違いすることを防止できる。
【００２９】
ステップＳ２からステップＳ３へ移行する。ステップＳ３では、貯湯式給湯機３５の制御装置３６と通信アダプタ４６との間の通信が、前回の通信のときから、一定時間（例えば５分間）以上、通信不能の状態であるかどうかを判断する。制御装置３６と通信アダプタ４６との間の通信が、一定時間以上、通信不能の状態である場合には、ステップＳ３からステップＳ６へ移行する。ステップＳ６では、以下のようにする。貯湯式給湯機３５の制御装置３６は、通信アダプタ４６との間の通信状態が異常であることを示す情報をリモコン４４へ送信する。リモコン４４の表示部４４ａは、アダプタ情報として、異常を示す情報を表示する。リモコン４４の表示部４４ａは、通信アダプタ４６との間の通信状態が異常であることを示す情報を、アダプタ情報として表示してもよい。
【００３０】
貯湯式給湯機３５は、ＨＥＭＳコントローラ４７から受信した指令に応じて、例えば蓄熱運転あるいは浴槽３０への湯張りのような動作を行うことがある。ステップＳ６で、制御装置３６は、ＨＥＭＳコントローラ４７から受信した指令による貯湯式給湯機３５の動作を禁止してもよい。通信アダプタ４６を介してＨＥＭＳコントローラ４７と正常に通信できないときに、ＨＥＭＳコントローラ４７から受信した指令による貯湯式給湯機３５の動作を実施すると、適切でない動作が実施される可能性がある。ステップＳ６で、ＨＥＭＳコントローラ４７から受信した指令による貯湯式給湯機３５の動作を禁止することで、適切でない動作が実施されることを確実に防止できる。
【００３１】
ステップＳ３で、貯湯式給湯機３５の制御装置３６と通信アダプタ４６との間の通信が、前回の通信のときから、一定時間（例えば５分間）以内の間に、正常に実施できている場合には、ステップＳ４へ移行する。ステップＳ４では、通信アダプタ４６の動作状態が正常であることを示す情報を受信しているかどうかを判断する。通信アダプタ４６は、自己の動作状態が正常であるか異常であるかを示す情報を貯湯式給湯機３５の制御装置３６へ送信する。貯湯式給湯機３５の制御装置３６は、当該情報をリモコン４４へ送信してもよい。通信アダプタ４６の動作状態が正常であることを示す情報を受信している場合には、ステップＳ４からステップＳ５へ移行する。これに対し、通信アダプタ４６の動作状態が正常であることを示す情報が受信されていない場合、または通信アダプタ４６の動作状態が異常であることを示す情報を受信している場合には、ステップＳ４からステップＳ９へ移行する。
【００３２】
ステップＳ９では、以下のようにする。貯湯式給湯機３５の制御装置３６は、通信アダプタ４６の動作状態が異常であることを示す情報をリモコン４４へ送信する。リモコン４４の表示部４４ａは、アダプタ情報として、異常を示す情報を表示する。リモコン４４の表示部４４ａは、通信アダプタ４６の動作状態が異常であることを示す情報を、アダプタ情報として表示してもよい。
【００３３】
ステップＳ９では、さらに、以下のようにしてもよい。ステップＳ９では、貯湯式給湯機３５の制御装置３６が通信アダプタ４６を介してＨＥＭＳコントローラ４７と正常に通信できない状態であると考えられる。このため、制御装置３６は、ＨＥＭＳコントローラ４７から受信した指令による貯湯式給湯機３５の動作を禁止してもよい。これにより、適切でない貯湯式給湯機３５の動作が実施されることを確実に防止できる。
【００３４】
通信アダプタ４６は、通信アダプタ４６とＨＥＭＳコントローラ４７との間の通信状態が正常であるか異常であるかを示す情報を貯湯式給湯機３５の制御装置３６へ送信する。貯湯式給湯機３５の制御装置３６は、当該情報をリモコン４４へ送信してもよい。ステップＳ５では、通信アダプタ４６とＨＥＭＳコントローラ４７との間の通信状態が正常であることを示す情報を受信しているかどうかを判断する。通信アダプタ４６とＨＥＭＳコントローラ４７との間の通信状態が正常であることを示す情報を受信している場合には、ステップＳ５からステップＳ７へ移行する。これに対し、通信アダプタ４６とＨＥＭＳコントローラ４７との間の通信状態が正常であることを示す情報が受信されていない場合、または通信アダプタ４６とＨＥＭＳコントローラ４７との間の通信状態が異常であることを示す情報を受信している場合には、ステップＳ５からステップＳ８へ移行する。
【００３５】
ステップＳ７では、以下のようにする。貯湯式給湯機３５の制御装置３６は、通信アダプタ４６とＨＥＭＳコントローラ４７との間の通信状態が正常であることを示す情報をリモコン４４へ送信する。リモコン４４の表示部４４ａは、アダプタ情報として、正常を示す情報を表示する。リモコン４４の表示部４４ａは、通信アダプタ４６の動作状態が正常であることを示す情報と、通信アダプタ４６とＨＥＭＳコントローラ４７との間の通信状態が正常であることを示す情報との双方を、アダプタ情報として表示してもよい。
【００３６】
ステップＳ８では、以下のようにする。貯湯式給湯機３５の制御装置３６は、通信アダプタ４６とＨＥＭＳコントローラ４７との間の通信状態が異常であることを示す情報をリモコン４４へ送信する。リモコン４４の表示部４４ａは、アダプタ情報として、異常を示す情報を表示する。この場合、通信アダプタ４６自体の動作状態は正常である。そこで、リモコン４４の表示部４４ａは、通信アダプタ４６とＨＥＭＳコントローラ４７との間の通信状態が異常であることを示す情報を表示してもよい。また、リモコン４４の表示部４４ａは、通信アダプタ４６の動作状態は正常であることを示す情報を表示してもよい。
【００３７】
ステップＳ８では、さらに、以下のようにしてもよい。ステップＳ８では、貯湯式給湯機３５の制御装置３６が通信アダプタ４６を介してＨＥＭＳコントローラ４７と正常に通信できない状態であると考えられる。このため、制御装置３６は、ＨＥＭＳコントローラ４７から受信した指令による貯湯式給湯機３５の動作を禁止してもよい。これにより、適切でない貯湯式給湯機３５の動作が実施されることを確実に防止できる。
【００３８】
以上説明したように、本実施の形態であれば、リモコン４４の表示部４４ａにアダプタ情報が表示される。これにより、以下の効果が得られる。ユーザー等は、リモコン４４の表示部４４ａを見ることで通信アダプタ４６に関する情報を知ることができるので、通信アダプタ４６自体を見る必要はない。このため、ユーザー等が容易に見ることのできる位置に通信アダプタ４６を設置する必要がないので、通信アダプタ４６を設置する位置の自由度を向上できる。
【００３９】
図１に示すように、本実施の形態におけるリモコン４４は、通信アダプタ４６の動作をリセットするリセットボタン４４ｃを備える。リセットボタン４４ｃは、通信アダプタ４６の動作をリセットするユーザー操作を可能にする手段の例である。リセットボタン４４ｃが操作された場合には、リモコン４４は、通信アダプタ４６の動作をリセットする指令を貯湯式給湯機３５の制御装置３６に送信し、制御装置３６は当該指令を通信アダプタ４６に送信する。当該指令を受信した通信アダプタ４６は、動作のリセットを行う。
【００４０】
図２のステップＳ６またはステップＳ９の状態になったとき、ユーザーは、リモコン４４のリセットボタン４４ｃを操作することで、通信アダプタ４６の動作をリセットさせることができる。通信アダプタ４６の動作をリセットさせることで、通信アダプタ４６が正常な状態に復帰することが期待できる。本実施の形態であれば、通信アダプタ４６を直接操作することなく、リモコン４４を操作することで通信アダプタ４６の動作をリセットできる。このため、通信アダプタ４６が操作しにくい位置に設置されている場合にも、優れた操作性が得られる。
【００４１】
貯湯式給湯機３５の制御装置３６、リモコン４４が備える制御装置、通信アダプタ４６が備える制御装置、ＨＥＭＳコントローラ４７が備える制御装置、の各々は、以下のように構成されてもよい。制御装置の各機能は、処理回路により実現されてもよい。制御装置の処理回路は、少なくとも１つのプロセッサと少なくとも１つのメモリとを備えてもよい。処理回路が少なくとも１つのプロセッサと少なくとも１つのメモリとを備える場合、制御装置の各機能は、ソフトウェア、ファームウェア、またはソフトウェアとファームウェアとの組み合わせにより実現されてもよい。ソフトウェアおよびファームウェアの少なくとも一方は、プログラムとして記述されてもよい。ソフトウェアおよびファームウェアの少なくとも一方は、少なくとも１つのメモリに格納されてもよい。少なくとも１つのプロセッサは、少なくとも１つのメモリに記憶されたプログラムを読み出して実行することにより、制御装置の各機能を実現してもよい。少なくとも１つのメモリは、不揮発性または揮発性の半導体メモリ、磁気ディスク等を含んでもよい。
【００４２】
制御装置の処理回路は、少なくとも１つの専用のハードウェアを備えてもよい。処理回路が少なくとも１つの専用のハードウェアを備える場合、処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものでもよい。制御装置の各部の機能がそれぞれ処理回路で実現されても良い。また、制御装置の各部の機能がまとめて処理回路で実現されても良い。制御装置の各機能について、一部を専用のハードウェアで実現し、他の一部をソフトウェアまたはファームウェアで実現してもよい。処理回路は、ハードウェア、ソフトウェア、ファームウェア、またはこれらの組み合わせによって、制御装置の各機能を実現しても良い。
【００４３】
単一の制御装置により動作が制御される構成に限定されるものではなく、複数の制御装置が連携することで動作を制御する構成にしてもよい。
【符号の説明】
【００４４】
１  給湯システム、  ２  圧縮機、  ３  水冷媒熱交換器、  ４  膨張弁、  ５  冷媒管、  ６  空気熱交換器、  ７  ＨＰユニット、  ８  貯湯タンク、  ８ａ  水導入口、  ８ｂ  水導出口、  ８ｃ  温水導入口、  ８ｄ  温水導入出口、  ９ａ  第１給水管、  ９ｂ  第２給水管、  ９ｃ  第３給水管、  １０  水導出口管、  １１  三方弁、  １２  循環ポンプ、  １３  送湯管、  １４  ＨＰ往き管、  １５  ＨＰ戻り管、  １６  第１バイパス管、  １７  第２バイパス管、  １８  四方弁、  ２０  ふろ用熱交換器、  ２０ａ  温水導入管、  ２０ｂ  温水導出管、  ２１  給湯管、  ２２  給湯用混合弁、  ２３  ふろ用混合弁、  ２４  第１給湯管、  ２５  給湯管、  ２６  ふろ用電磁弁、  ２７  ふろ往き管、  ２８  ふろ戻り管、  ２９  ふろ循環ポンプ、  ３０  浴槽、  ３１  減圧弁、  ３３  タンクユニット、  ３４  給湯栓、  ３５  貯湯式給湯機、  ３６  制御装置、  ３７  ふろ往き温度センサ、  ３８  ふろ戻り温度センサ、  ４２，４３  貯湯温度センサ、  ４４  リモコン、  ４４ａ  表示部、  ４４ｂ  操作部、  ４４ｃ  リセットボタン、  ４５  ふろ用流量センサ、  ４６  通信アダプタ、  ４７  ＨＥＭＳコントローラ、  ４８  ルームエアコン、  ４９  電気機器
【図１】
0006672950.tif 000002
【図２】
0006672950.tif 000003